(57)【特許請求の範囲】
【請求項１】
第１基板と、当該第１基板に対向して配置される第２基板と、前記第１基板と前記第２基板との間に設けられる液晶層と、を含む表示パネルであって、
前記第１基板は、第１基材上に設けられる走査線と、前記第１基材上に設けられ、少なくとも１つの画素領域を画定するように、前記走査線と交差して配置されるデータ線と、を含み、
前記画素領域は、２つの延伸部と、屈曲部とを有する電極を含み、２つの前記延伸部が前記データ線の延伸方向に対して実質的に平行であり、前記屈曲部が２つの前記延伸部に接続されるとともにその間に設けられ、
光線が前記画素領域を通過すると、前記電極の前記屈曲部に対応し延伸方向が前記走査線に対して平行である第１暗縞と、２つの前記延伸部に対応し、前記データ線の延伸方向に対して実質的に平行である複数の第２暗縞とが生じ、
前記第１暗縞は、前記表示パネルの全階調値の中間値である第１階調値のとき、第１暗縞幅を有し、前記表示パネルの最高階調値である第２階調値のとき、第２暗縞幅を有し、前記第１暗縞幅と前記第２暗縞幅との比の値が２．１〜３．０であり、
前記液晶層における液晶のスプレイ（ｓｐｌａｙ）弾性定数Ｋ１１が１０〜２０の範囲であることを特徴とする表示パネル。
【請求項２】
前記第１暗縞は、前記画素領域が緑サブ画素である場合、前記第２階調値のときに第１緑色の暗縞幅を有し、前記画素領域が赤サブ画素である場合、前記第２階調値のときに第１赤色の暗縞幅を有し、前記第１緑色の暗縞幅が前記第１赤色の暗縞幅の幅よりも小さいことを特徴とする請求項１に記載の表示パネル。
【請求項３】
前記第１暗縞は、前記画素領域が青サブ画素である場合、前記第２階調値のときに第１青色の暗縞幅を有し、前記第１緑色の暗縞幅が前記第１青色の暗縞幅の幅よりも小さいことを特徴とする請求項２に記載の表示パネル。
【請求項４】
複数の前記第２暗縞の延伸方向が２つの前記延伸部に対して実質的に平行であることを特徴とする請求項１に記載の表示パネル。
【請求項５】
前記液晶層における液晶のベンド（ｂｅｎｄ）弾性定数Ｋ３３が１０〜２５の範囲であることを特徴とする請求項１に記載の表示パネル。
【請求項６】
前記液晶層における液晶分子のプレチルト角が０度〜４度の範囲であることを特徴とする請求項１に記載の表示パネル。
【請求項７】
前記電極の２つの前記延伸部と前記走査線とのなす角度が８０°〜８７°の範囲であることを特徴とする請求項１に記載の表示パネル。
【請求項８】
前記電極は、複数の電極枝（ｂｒａｎｃｈｅｓ）と、当該複数の電極枝の間に設けられる複数のスリット（ｓｌｉｔｓ）とを含み、
各前記電極枝は、２つの前記延伸部と、２つの前記延伸部の間に設けられ、２つの前記延伸部のそれぞれに接続される前記屈曲部を含むことを特徴とする請求項１に記載の表示パネル。
【請求項９】
前記スリットのそれぞれは、幅が１．５μｍ〜４μｍの範囲にあることを特徴とする請求項８に記載の表示パネル。
【請求項１０】
前記電極枝のそれぞれは、幅が１．５μｍ〜４μｍの範囲にあることを特徴とする請求項８に記載の表示パネル。
【請求項１１】
前記画素領域は、薄膜トランジスタ（ＴＦＴ）と、当該薄膜トランジスタの上方に設けられる第１透明導電層と、前記薄膜トランジスタと前記第１透明導電層との間に設けられる絶縁層と、前記第１透明導電層の上方に設けられる第２透明導電層とをさらに含み、
前記電極は、前記第１透明導電層及び前記第２透明導電層のうちいずれか一方であり、前記薄膜トランジスタに電気的に接続されることを特徴とする請求項１に記載の表示パネル。
【請求項１２】
前記第１透明導電層と前記第２透明導電層との間の距離が５０ｎｍ〜７００ｎｍであることを特徴とする請求項１１に記載の表示パネル。
【請求項１３】
前記薄膜トランジスタと前記第１透明導電層との間に設けられる前記絶縁層は有機絶縁層であり、
前記第１透明導電層と前記第２透明導電層との間の距離が３００ｎｍ〜７００ｎｍであることを特徴とする請求項１１に記載の表示パネル。
【請求項１４】
前記薄膜トランジスタと前記第１透明導電層との間に設けられる前記絶縁層は無機絶縁層であり、
前記第１透明導電層と前記第２透明導電層との間の距離が５０ｎｍ〜３００ｎｍであることを特徴とする請求項１１に記載の表示パネル。
【発明の詳細な説明】
【技術分野】
【０００１】
本発明は、表示パネルに関し、特に、安定した視野角維持率を有する表示パネルに関するものである。
【背景技術】
【０００２】
現代人にとって、仕事、学習や娯楽に必要不可欠な表示パネルを備える電子製品は、スマートフォン（ＳｍａｒｔＰｈｏｎｅ）、タブレットＰＣ（Ｐａｄ）、ノートパソコン（Ｎｏｔｅｂｏｏｋ）、モニター（Ｍｏｎｉｔｏｒ）、テレビ（ＴＶ）など、多くの関連製品を含む。表示パネルの中で、液晶表示パネルが最も普及している。
【０００３】
液晶表示パネル（ＬＣＤ）は、電圧により液晶（ＬＣｓ）の回転を駆動して輝度階調を調整することができるため、フラットパネルディスプレイ、電子視覚ディスプレイやビデオディスプレイを構成することが可能となる。また、大多数の応用に用いられる液晶表示パネルは、コンパクト、軽量、携帯性、安価、高信頼性及び目に優しいという性能があるので、従来の陰極線管ディスプレイ（ＣＲＴ）の代わりに、最も広く使用されている表示パネルとなっている。さらに、液晶表示パネルは、サイズ、形状、解像度など幅広い選択が提供されている。
【発明の概要】
【発明が解決しようとする課題】
【０００４】
しかしながら、表示パネルの製造時には、製造工程のばらつきが表示パネルの表示品質影響を与えてしまう。そのため、表示パネルの製造時に、製造工程の細部に細心の注意を払う以外、製造された表示パネルが安定かつ優れた電気特性を得るとともに、各規格の製品要求を満たすことも考慮しなければならない。例えば、製造工程のばらつきに影響されずに、高歩留まり率、高信頼性や安定した表示品質を有する表示パネルが要求される。
【０００５】
本発明の目的は、製造ばらつきによる影響を受けにくく、表示品質を改善することが可能な表示パネルを提供することにある。
【課題を解決するための手段】
【０００６】
本発明の一実施例に係る表示パネルは、第１基板と、第２基板と、第１基板と第２基板との間に設けられる液晶層とを含む。第１基板は、第１基材上に設けられる走査線及びデータ線を含み、走査線及びデータ線は、少なくとも１つの画素領域を画定するように、互いに交差して配置される。画素領域は、２つの延伸部と、屈曲部とを有する電極を含み、２つの延伸部がデータ線の延伸方向に対して実質的に平行であり、屈曲部が２つの延伸部に接続されるとともにその間に設けられる。光線が画素領域を通過すると、電極の屈曲部に対応し延伸方向が走査線に対して平行である第１暗縞と、２つの延伸部に対応する複数の第２暗縞とが生じ、第１暗縞は、表示パネルの全階調値の中間値である第１階調値のとき、第１暗縞幅を有し、表示パネルの最高階調値である第２階調値のとき、第２暗縞幅を有し、第１暗縞幅と第２暗縞幅との比の値が２．１〜３．０である。
【発明の効果】
【０００７】
本発明の表示パネルによれば、良好な表示品質を有し、異なる階調値に対応する暗縞幅の比の値を調整することにより、製造ばらつきによる影響を受けにくく、安定した視野角維持率を有することができる。また、本発明の表示パネルは、良好な開口率という応用製品の要求を満たすことができる。したがって、本発明の表示パネルは、製品の歩留まり率を向上させ、安定かつ優れた表示品質を有することができる。
【図面の簡単な説明】
【０００８】
【図１Ａ】本発明の一実施例によるフリンジフィールドスイッチング（Ｆｒｉｎｇｅ  Ｆｉｅｌｄ  Ｓｗｉｔｃｈｉｎｇ，ＦＦＳ）モードの表示パネルを示す平面図である。
【図１Ｂ】図１Ａの１Ｂ−１Ｂに沿ったトップ画素電極構造を有する液晶表示パネルを示す概略断面図である。
【図２】本発明の他の実施例によるトップ共通電極構造（ボトム画素電極構造）を有するフリンジフィールドスイッチングモードの表示パネルを示す概略断面図である。
【図３Ａ】発明の一実施例による単一の画素領域を示す概略図である。
【図３Ｂ】光線が図３Ａに示す画素領域を通過するときに生じる暗縞を示す概略図である。
【図４】表示パネルにおける異なる階調値と生じる第１暗縞幅との関係を示す図である。
【図５】本発明の一実施例における暗縞幅の比の値、中間階調値の視野角の均一度、最高階調値の視野角の均一度、及び視野角維持率の関係を示す図である。
【図６】一実施例における表示パネルのＲＧＢ３色のサブ画素の、異なる階調値に対応する暗縞幅を示す図である。
【図７】高度、中度、低度などの異なる暗縞幅の比の値に対応する液晶分子の配列を示す図である。
【図８】単一画素領域における複数群の異なる暗縞幅の比の値を有する暗縞パターンを示す図である。
【図９】比較的に高い及び比較的に低いなどの異なる暗縞幅の比の値に対応する画素電極形状及び液晶分子の配列を示す図である。
【図１０】単一画素領域における２群の異なる暗縞幅の比の値を有する暗縞パターンを示す図である。
【図１１Ａ】液晶のスプレイ（ｓｐｌａｙ）の変形を示す概略図である。
【図１１Ｂ】液晶のツイスト（ｔｗｉｓｔ）の変形を示す概略図である。
【図１１Ｃ】液晶のベンド（ｂｅｎｄ）の変形を示す概略図である。
【図１２】単一画素領域における２群の異なる暗縞幅の比の値を有する暗縞パターンを示す図である。
【図１３】図１２の（１）における距離ｄに対応する階調値を示す曲線図である。
【発明を実施するための形態】
【０００９】
本発明の特徴、利点等をさらに明瞭にするために、本発明を実施する好適な実施形態について、図面を参照しながら詳細に説明する。
【００１０】
以下、本発明を実施する好適な実施態様について、図面を参照しながら詳細に説明する。実施態様における各構成要素及び内容は説明するために用いられ、本発明の権利範囲は、下記実施態様に制限されるものではない。本発明は、あらゆる実施態様を示すものではない。本発明の趣旨を逸脱しない限り適宜変更が可能である。そのため、他の実施態様を、当業者であれば、本発明の範囲及び領域から逸脱することなく発明し得る。また、以下に示す図面においては、理解の容易のため、各部材の縮尺が実際とは異なる場合がある。なお、明細書及び図面の記載は、実施態様を例示するためのものであり、限定の意味に捉えられるものではない。また、実施態様において、同一又は類似した要素には同一又は類似した符号を付する。
【００１１】
なお、本明細書等にて用いる「第１」、「第２」、「第３」などの序数詞は、構成要素を識別するために付するものであり、その構成要素の順番、限定された数、又は製造方法の順序を示すものではなく、１つの構成要素を他の構成要素と区別する目的として使用されている。
【００１２】
本実施例において、フリンジフィールドスイッチング（Ｆｒｉｎｇｅ  Ｆｉｅｌｄ  Ｓｗｉｔｃｈｉｎｇ，以下「ＦＦＳ」という）モードの表示パネルを例に挙げる。図１Ａは、本発明の一実施例によるＦＦＳモードの表示パネルを示す平面図である。図１Ｂは、図１Ａの１Ｂ−１Ｂに沿った液晶表示パネルを示す概略断面図である。表示パネルは、第１基板Ｓ１と、第１基板Ｓ１に対向して配置される第２基板Ｓ２と、第１基板Ｓ１と第２基板Ｓ２との間に設けられる液晶層ＬＣとを含んでいる。本実施例は、トップ画素電極構造（ｔｏｐ  ｐｉｘｅｌ  ｅｌｅｃｔｒｏｄｅ）を有する液晶表示パネルを例として説明するが、本発明はこれに限定されない。
【００１３】
一実施例において、図１Ａに示すように、第１基板Ｓ１は、第１基材１１０と、第１基材１１０上に交差して配置される複数の走査線ＳＬ及び複数のデータ線ＤＬと、を含んでいる。また、隣り合う２つのデータ線ＤＬ及び走査線ＳＬによって画素領域ＰＸが画定されている。同図では、説明の便宜上、第２基板Ｓ２における他の構成を省略している。
【００１４】
図１Ａ及び図１Ｂに示すように、画素領域ＰＸは、第１基材１１０上に形成されて例えば低温ポリシリコンからなる活性層１１３と、活性層１１３を覆う第１絶縁層１２１と、デュアルゲート１２０Ｇと、デュアルゲート１２０Ｇを覆う第２絶縁層１２２とを含んでいる。薄膜トランジスタは、走査線ＳＬとデータ線ＤＬとの交差する位置に近接し、画素領域ＰＸとデータ線ＤＬとを電気的に接続させるように制御するためのスイッチ素子として機能する。また、第２絶縁層１２２は、導通孔（ｖｉａ）１２４，１２５を有している。導通孔（ｖｉａ）１２４，１２５内に金属材料が充填されてデータ線ＤＬと、薄膜トランジスタのドレイン電極（ｄｒａｉｎ  ｅｌｅｃｔｒｏｄｅ）ＤＥとが形成されている。そのため、データ線ＤＬは、導通孔１２４を介して活性層１１３に電気的に接続され、ドレイン電極ＤＥは、導通孔１２５を介して活性層１１３に電気的に接続されることができる。第３絶縁層１２７は、第２絶縁層１２２、データ線ＤＬ及びドレイン電極ＤＥを覆っている。画素領域ＰＸは、第３絶縁層１２７の上方に設けられる第１透明導電層１３１（図１Ａには図示せず）と、第１透明導電層１３１の上方に設けられる第２透明導電層１３２と、第１透明導電層１３１と第２透明導電層１３２との間に設けられる第４絶縁層１２８と、第２透明導電層１３２を覆う配向層１３３と、をさらに含んでいる。図１Ｂに示す実施例には、上方に設けられる第２透明導電層１３２と、データ線ＤＬとが電気的に接続されている。ここで、上方の第２透明導電層１３２を画素電極とし、下方の第１透明導電層１３１を共通電極とした図１Ｂに示す構造は、トップ画素電極（ｔｏｐ  ｐｉｘｅｌ  ｅｌｅｃｔｒｏｄｅ）構造という。そのため、図１Ｂに示すように、導通孔（ｖｉａ）１２９が第４絶縁層１２８（第１透明導電層１３１と第２透明導電層１３２との間に設けられる）及び第３絶縁層１２７（ＴＦＴと第１透明導電層１３１との間に設けられる）を貫通することにより、ドレイン電極ＤＥを露出させる。第２透明導電層１３２の材料は、導通孔１２９内に充填されてドレイン電極ＤＥに接続されており、さらに、活性層１１３を介してデータ線ＤＬに電気的に接続されている。
【００１５】
一実施例において、第１絶縁層１２１、第２絶縁層１２２及び第４絶縁層１２８は、同じ又は異なる無機材料、例えばＳｉＯｘ、ＳｉＮｘ又は他の適切な材料を用いる無機材料絶縁層であってもよい。第３絶縁層１２７は、ＴＦＴと第１透明導電層１３１とを隔離するための平坦化層として形成され、例えばパーフルオロアルキル基を含有する化合物（ポリテトラフルオロエチレン・パーフルオロアルキルビニルエーテル共重合体，Ｐｏｌｙｆｌｕｏｒｏａｌｋｏｘｙ，ＰＦＡ）である有機材料絶縁層であってもよい。他の実施例において、第３絶縁層１２７は、カラーフィルタ層材料であってもよい。この場合、カラーフィルタ層及び薄膜トランジスタＴＦＴが同一の基板上に設けられるＣＯＡ（Ｃｏｌｏｒ  ｆｉｌｔｅｒ  ｏｎ  ａｒｒａｙ）方式の実施例である。ただし、本発明は、これに限定されず、他の有機材料、有機材料又はこれらの組み合わせによって第３絶縁層１２７を作製してもよい。一実施例において、第１透明導電層１３１と第２透明導電層１３２との距離が、例えば、約５０ｎｍ〜約７００ｎｍである。一実施例において、ＴＦＴと第１透明導電層１３１とを隔離するための第３絶縁層１２７を有機絶縁層とした場合、第１透明導電層１３１と第２透明導電層１３２との距離が、例えば、約３００ｎｍ〜約７００ｎｍであり、約５００ｎｍであることが好ましい。他の実施例において、ＴＦＴと第１透明導電層１３１とを隔離するための第３絶縁層１２７を無機絶縁層とした場合、第１透明導電層１３１と第２透明導電層１３２との距離が、例えば、約５０ｎｍ〜約３００ｎｍであり、約１５０ｎｍ〜約２００ｎｍであることが好ましい。これらの数値を例示して説明したが、本発明はこれらに限定されない。
【００１６】
また、電極は、複数の電極枝（ｂｒａｎｃｈｅｓ）と、複数の電極枝の間に設けられる複数のスリット（ｓｌｉｔｓ）とを含んでいる。図１Ａ及び図１Ｂに示すように、第２透明導電層１３２（電極）は、複数のスリット（ｓｌｉｔｓ）１３４を有している。スリット１３４の延伸方向は、データ線ＤＬの方向に対して実質的に平行である。一実施例において、各スリット１３４は、例えば、幅が１．５μｍ〜４μｍの範囲にあるが、これに限定されない。一実施例において、各電極枝は、例えば、幅が１．５μｍ〜４μｍの範囲にあるが、これに限定されない。なお、第１透明導電層１３１は、スリットを含まなくてもよく（図１Ｂに示す）、含んでもよいが、本発明はこれに限定されない。
【００１７】
また、他の実施例において、表示パネルの薄膜トランジスタは、例えば、図１Ｂに示すトップゲート（ｔｏｐ−ｇａｔｅ）構造であってもよい。別の実施例において、表示パネルの薄膜トランジスタは、ボトムゲート（ｂｏｔｔｏｍ−ｇａｔｅ）構造であってもよい。本発明の実施態様では、トップゲート（ｔｏｐ−ｇａｔｅ）構造であってもよく、ボトムゲート（ｂｏｔｔｏｍ−ｇａｔｅ）構造であってもよい。
【００１８】
図２は、本発明の他の実施例によるトップ共通電極（ｔｏｐ  ｃｏｍｍｏｎ  ｅｌｅｃｔｒｏｄｅ）構造を有するＦＦＳモードの表示パネルを示す概略断面図である。図２は、図１Ｂの構成と同じ構成については同じ符号を付し、構成の詳細について上記説明を参照することができるため、説明を省略する。その相違点について、図２に示す実施例には、下方に設けられる第１透明導電層１３１と、データ線ＤＬとが電気的に接続されている。この場合、上方の第２透明導電層１３２を共通電極とし、下方の第１透明導電層１３１を画素電極とした図２に示す構造は、トップ共通電極（ｔｏｐ  ｃｏｍｍｏｎ  ｅｌｅｃｔｒｏｄｅ）構造という。ここで、上方の第２透明導電層１３２は、スリット１３４を有し、第１透明導電層１３１は、スリットを含んでも含まなくてもよい。そのため、図２に示すように、導通孔（ｖｉａ）１２９が、薄膜トランジスタのドレイン電極ＤＥと第１透明導電層１３１との間に設けられる第３絶縁層１２７を貫通することで、ドレイン電極ＤＥを露出させる。第２透明導電層１３２の材料は、導通孔１２９内に充填されてドレイン電極ＤＥに接続されており、さらに、活性層１１３を介してデータ線ＤＬに電気的に接続されている。
【００１９】
一般的に、ＦＦＳモードの液晶表示パネルは、通常、１つの画素領域ＰＸにおいて上下２つのドメイン（ｄｏｍａｉｎｓ）が形成されており、画素領域ＰＸの電極形状が複数のドメインに応じて設けられている。例えば、図１Ａには、く字状の電極が示されている。以下、上下２つのドメインを有する画素領域を例として説明するが、本発明はこれに限定されない。この場合、電極は、それに応じて２つの延伸部１３２Ｅと、２つの延伸部１３２Ｅに接続されるとともにその間に設けられる屈曲部１３２Ｂとを有している。図１Ｂに示すトップ画素電極の実施例において、画素領域ＰＸにおける第２透明導電層１３２は、ＴＦＴに電気的に接続されている。図２に示すトップ共通電極の実施例において、画素領域ＰＸにおける第１透明導電層１３１は、ＴＦＴに電気的に接続されている。また、その屈曲部及び延伸部の形状が画素領域ＰＸにおける共通電極のパターンに応じて形成されている。
【００２０】
図３Ａ及び図３Ｂを参照すると、図３Ａは、発明の一実施例による単一の画素領域を示す概略図である。この画素領域ＰＸにおける電極は、２つの延伸部３３０Ｅと、屈曲部３３０Ｂと、２つのスリット３３１とを含んでいる。２つの延伸部３３０Ｅは、データ線ＤＬの延伸方向に対して実質的に平行である。屈曲部３３０Ｂは、２つの延伸部３３０Ｅに接続されるとともにその間に設けられている。例示的な実施例において、走査線ＳＬは、直線状の配線であり、その延伸方向がＸ方向に対して平行である。データ線ＤＬは、走査線ＳＬに対して垂直ではないが、走査線ＳＬに対して略垂直な延伸方向（Ｙ方向）を有している。しかし、例えば、図３Ａには、ＸＹ座標軸上に示す方向ＤＤＬに延伸するデータ線の一部と、走査線（Ｘ方向）との挟角θＤＬが示されている。もちろん、他の実施例において、走査線ＳＬは、非直線状に形成されてもよいが、実質的な延伸方向（Ｘ方向）を有している。一実施例において、電極の２つの延伸部３３０Ｅと走査線ＳＬとの挟角が、挟角θＤＬと実質的に等しく、８０°〜８７°の範囲にあり、例えば８４°であるが、本発明はこの様態及び挟角の範囲に限定されない。２つの延伸部３３０Ｅと走査線ＳＬとの挟角θＤＬが異なってもよい。
【００２１】
図３Ｂは、光線が図３Ａに示す画素領域を通過するときに生じる暗縞を示す概略図である。光線が画素領域を通過するときに、第１暗縞（ｄａｒｋ  ｆｒｉｎｇｅ）ＤＦ１と、複数の第２暗縞ＤＦ２が生じる。第１暗縞ＤＦ１は、電極の屈曲部３３０Ｂに対応しており、その延伸方向（図３ＢにおけるＸＹ座標軸上に示す、Ｘ方向と平行である方向ＤＤＦ１）が走査線ＳＬに対して実質的に平行である。また、これらの第２暗縞ＤＦ２は、電極の２つの延伸部３３０Ｅに対応しており、その延伸方向（図３ＢにおけるＸＹ座標軸上に示す、Ｘ方向に対して挟角θＤＦをなす方向ＤＤＦ２）が２つの延伸部３３０Ｅに対して実質的に平行である。
【００２２】
また、図３Ｂに示すように、光線が画素領域を通過するときに生じる第１暗縞ＤＦ１は、その延伸方向が、例えば、走査線ＳＬ（Ｘ方向）に対して平行であり、階調値が高くなるにつれ、その暗縞幅が低下する傾向となる（暗縞幅が細くなる）。図４は、表示パネルにおける異なる階調値と生じる第１暗縞幅との関係を示す図である。０〜２５５の階調値（全階調値は２５６階調である）を有する表示パネルを例として説明する。例えば、最高階調値２５５と中間階調値１２８とを比較すると、中間階調値１２８の第１暗縞ＤＦ１の暗縞幅（例えば４単位）が、最高階調値２５５の第１暗縞ＤＦ１の暗縞幅（例えば１．５４単位）の２．６倍である。本実施態様において、暗縞幅と視野角の均一度又は視野角維持率との関係を説明する。本発明の表示パネルは、異なる階調値に対応する暗縞幅の比の値を調整することにより、製造ばらつきによる影響を受けにくく、安定した視野角維持率を有することができる。
【００２３】
表示パネルの視野角の均一度は、以下のように求めることができる。
ｚ軸挟角θ＝６０°かつ水平軸挟角φ＝９０°での輝度を、ｚ軸挟角θ＝６０°かつ水平軸挟角φ＝０°での輝度で割ることで視野角の均一度を求める。ここで、ｚ軸は、基板の法線方向に対して平行な座標軸に相当し、Ｘ軸及びＹ軸のそれぞれに対して垂直である。水平軸は、例えば、Ｘ軸又はＹ軸であってもよい。水平軸挟角は、水平軸に対してなす角度を意味している。例えば、図７に示す実施例において、挟角φは、Ｘ軸に対してなす角度である。輝度（ｌｕｍｉｎａｎｃｅ）とは、光源単位がある方向に単位面積単位立体角当たりに放射する光束である。そこで、視野角の均一度は、以下の式１のように表わされる。
【００２４】
Ｌｕｍ（θ６０，φ９０）／（θ６０，φ０）・・・（式１）
【００２５】
また、視野角維持率は、以下のように求めることができる。
中間階調値の視野角の均一度を最高階調値の視野角の均一度で割ることで視野角維持率を求める。
【００２６】
ここで、中間階調値及び最高階調値は、実際に用いられる表示パネルに応じて決められる。中間階調値は、通常、最高階調値の中間値である。例えば、実際に用いられる表示パネルは、階調値が０〜６３である場合、その最高階調値が６３であり、全階調値が６４階調であり、中間階調値が３２である。また、実際に用いられる表示パネルは、階調値が０〜２５５である場合、その最高階調値が２５５であり、全階調値が２５６階調であり、中間階調値が１２８である。さらに、実際に用いられる表示パネルは、階調値が０〜１０２３である場合、その最高階調値が１０２３であり、全階調値が１０２４階調であり、中間階調値が５１２である。
【００２７】
そこで、表示パネルの視野角維持率は、表示パネルの階調値が０〜２５５である場合、以下の式２のように表わされる。
【００２８】
階調値１２８の視野角の均一度／階調値２５５の視野角の均一度・・・（式２）
【００２９】
図５は、本発明の一実施例における暗縞幅の比の値、中間階調値の視野角の均一度、最高階調値の視野角の均一度、及び視野角維持率の関係を示す図である。ここで、暗縞幅の比の値は、中間階調値（例えば１２８）の暗縞幅を最高階調値（例えば２５５）の暗縞幅で割るものである。左側のｙ軸の座標値は、中間階調値及び最高階調値の視野角の均一度を示しており、右側のｙ軸の座標値は、視野角維持率（中間階調値の視野角の均一度／最高階調値の視野角の均一度）を示している。図５に示すように、暗縞幅の比の値が２．１より小さい場合には、視野角維持率の変化が激しく、暗縞幅の比の値が２．１より大きい場合、例えば約２．１〜約３．０にある場合には、安定した視野角維持率が維持されている。このことから分かるように、暗縞幅の比の値が２．１より大きい場合、例えば約２．１〜約３．０にある場合は、製造ばらつきによる影響を受けにくい安定域である。なお、暗縞幅の比の値が高くなるにつれ、その画素の開口率が低くなるため、暗縞幅の比の値の上限値を選択するときに、実際の開口率に応じて決めることができる。例えば、暗縞幅の比の値が３．０より大きい場合、暗縞幅が太すぎて画素の開口率が低下するため、約３．０が上限値として選択される。
【００３０】
また、カラーフィルタ層を有する表示パネルについては、ＲＧＢ３色のサブ画素を例として挙げる。人間の目が緑に対する感覚が最も鋭敏であるので、緑サブ画素により画素の透過率への影響が最も大きい。そのため、実際に応用する場合には、緑サブ画素の透過率を向上させるように設計することが望ましい。透過率は、暗縞幅に影響され、暗縞幅が狭いほど、正面の透過率が高くなる。図６は、一実施例における表示パネルのＲＧＢ３色のサブ画素の、異なる階調値に対応する暗縞幅を示す図である。本発明の実施形態によれば、緑色のサブ画素の最高階調値の暗縞幅（即ち、図３Ｂ中の第１暗縞ＤＦ１の幅）が低減し、最大の輝度を得ることができ、さらに、その透過率を向上させることができる。したがって、一実施例において、光線が画素領域ＰＸを通過すると、例えば、図３Ａ及び図３Ｂに示す第１暗縞ＤＦ１及び第２暗縞ＤＦ２が生じる。そこで、画素領域ＰＸが緑色のサブ画素である場合、最高階調値の第１暗縞は、第１緑色の暗縞幅を有し、画素領域ＰＸが赤色のサブ画素である場合、最高階調値の第１暗縞は、第１赤色の暗縞幅を有し、画素領域ＰＸが青色のサブ画素である場合、最高階調値の第１暗縞は、第１青色の暗縞幅を有する。ここで、第１緑色の暗縞幅が、第１赤色の暗縞幅の幅より小さく、しかも第１青色の暗縞幅の幅よりも小さい。
【００３１】
以下、実施例における第１暗縞幅と第２暗縞幅との比の値（例えば、２．１〜３．０）を達成することが可能な技術手段を３つの例として挙げて説明する。しかし、本発明は、これらに限定されず、実施例における第１暗縞幅と第２暗縞幅との比の値を達成することが可能な他の技術手段を用いてもよい。
【００３２】
＜光配向層の露光方式によって暗縞幅の比の値を制御する＞
本発明は、光配向層（ｐｈｏｔｏ  ａｌｉｇｎｍｅｎｔ）を有する表示パネルに適用することができる。例えば、第１透明導電層１３１及び第２透明導電層１３２のそれぞれ上にポリイミド（ｐｏｌｙｉｍｉｄｅ，ＰＩ）からなる光配向層が形成される。そして、ＵＶ光の照射で光配向層の配向方向を決める。実施例における１つの技術手段は、光配向層の露光方式を用いて最高階調値及び中間階調値に対応する暗縞幅を制御することにより、適切な暗縞幅の比の値（中間階調値（例えば、１２８）の暗縞幅を最高階調値（例えば、２５５）の暗縞幅で割る）、上述した２．１（例えば、約２．１〜約３．０）を達することができる。これにより、本発明の表示パネルは、製造ばらつきによる影響を受けにくく、安定した視野角維持率を有することができる。
【００３３】
図７は、異なる配向方向による高度、中度、低度などの異なる暗縞幅の比の値に対応する液晶分子の配列を示す図である。ここで、横方向の（Ａ）シリーズでは、高度の暗縞幅の比の値を生成可能な液晶分子の配列を示している。即ち、電圧が印加されない場合（Ｉ）、低電圧が印加される場合（ＩＩ）、及び高電圧が印加される場合（ＩＩＩ）の３つの液晶分子の配列をそれぞれ示している。（Ｂ）シリーズでは、中度の暗縞幅の比の値を生成可能な液晶分子の配列を示している。即ち、電圧が印加されない場合（Ｉ）、低電圧が印加される場合（ＩＩ）、及び高電圧が印加される場合（ＩＩＩ）の３つの液晶分子の配列をそれぞれ示している。（Ｃ）シリーズでは、低度の暗縞幅の比の値を生成可能な液晶分子の配列を示している。即ち、電圧が印加されない場合（Ｉ）、低電圧が印加される場合（ＩＩ）、及び高電圧が印加される場合（ＩＩＩ）の３つの液晶分子の配列がそれぞれ示されている。これから分かるように、図７に示す縦方向の（Ｉ）では、電圧が印加されず、単に光配向層の配向力によって形成された液晶分子の配列を示し、（ＩＩ）では、低電圧が印加される中間階調値（例えば、１２８）によって形成された液晶分子の配列を示し、（ＩＩＩ）では、高電圧が印加される最高階調値（例えば、２５５）によって形成された液晶分子の配列を示している。
【００３４】
図７では、説明の便宜上、単一の画素領域における電極パターンのみを示し、他の構成を省略している。電極は、２つの延伸部３３０Ｅと、屈曲部３３０Ｂとを含んでいる。屈曲部３３０Ｂは、２つの延伸部３３０Ｅに接続されるとともにその間に設けられている。延伸部３３０Ｅの延伸方向は、例えば、ＸＹ座標軸上に示す方向ＤＤＬである。方向ＤＤＬは、データ線ＤＬの一部の延伸方向である。矢印は、その領域にある液晶分子の配列方向を示している。
【００３５】
上述したように、図７に示す配列方向を調整することによって形成された液晶分子の配列方式を用いて、例えば、図８に示す異なる暗縞パターンを形成することができる。図７及び図８を併せて参照する。図８は、単一画素領域における複数群の異なる暗縞幅の比の値を有する暗縞パターンを示す図である。また、各群において、中間階調値（例えば、１２８）の場合に生じた第１暗縞の第１暗縞幅Ｗ１及び最高階調値（例えば、２５５）の場合に生じた第２暗縞の第２暗縞幅Ｗ２が表記されている。ここで、第１暗縞の延伸方向は、ＸＹ座標軸上に示す方向ＤＤＦ１（Ｘ方向と平行である）のように、走査線ＳＬの延伸方向に対して実質的に平行である。図８において、（１）では、暗縞の比の値３．４を示しており、（２）では、暗縞の比の値２．６を示しており、（３）では、暗縞の比の値２．１３を示しており、（４）では、暗縞の比の値１．９４を示しており、（５）では、暗縞の比の値１．８を示している。
【００３６】
図７に示すネガ型液晶の（Ａ）シリーズにおける（Ｉ）、（ＩＩ）、（ＩＩＩ）及び図８の（１）又は（２）を参照する。高度の暗縞幅の比の値（例えば、３．４、２．６又は他の高い比の値）を形成しようとする場合には、光配向層に対して露光させて配向方向を決める際、電極の屈曲部３３０Ｂに対応する領域に液晶分子に対して予め回転した角度を有させることで、光配向を行った後に液晶分子と走査線ＳＬとのなす角度がφ角（pre-φ方位角）になることができる。そのため、電圧が印加されない場合、図７における（Ａ）−（Ｉ）に示すように、電極の屈曲部３３０Ｂに対応する領域の液晶分子は、互いに内側に向くように配列する一方、電極の延伸部３３０Ｅに対応する領域の液晶分子は、走査線ＳＬに対して平行である配列方式が維持される。電圧が大きくなると、例えば、印加される電圧が中間階調値（例えば、１２８）に達するまで（図７における（Ａ）−（ＩＩ））、電極の屈曲部３３０Ｂに対応する領域の液晶分子は、徐々に外に向けて回転する。印加された電圧が最高階調値（例えば、２５５）に達すると（図７における（Ａ）−（ＩＩＩ））、電極の屈曲部３３０Ｂの領域及び延伸部３３０Ｅに対応する領域の液晶分子は、電界の等電位線方向に沿って配列するようになる。このように、光配向層の露光方式によって中間階調値及び最高階調値に対応する暗縞幅（Ｗ１，Ｗ２）を達することにより、両者の暗縞幅の比の値（Ｗ１／Ｗ２）を制御することができる。
【００３７】
同様に、中度の暗縞幅の比の値（例えば、２．１３、１．９４又は他の中度の比の値）を形成しようとする場合には、光配向層に対して露光させて配向方向を決める際、電極の屈曲部３３０Ｂ及び延伸部３３０Ｅに対応する領域の液晶分子を、光配向を行った後に図７における（Ｂ）−（Ｉ）に示すように配列させることができる。液晶分子は、低電圧及び高電圧が印加される場合、それぞれ図７における（Ｂ）−（ＩＩ）及び（Ｂ）−（ＩＩＩ）に示すように配列される。電極の屈曲部３３０Ｂに対応する領域の液晶分子を、光配向を行った後に図７における（Ｃ）−（Ｉ）に示すように外側に向くように配列させると、比較的に低い暗縞幅の比の値（例えば、１．８又は他の低い比の値）になる可能性がある。
【００３８】
一実施例において、上記図７に示す方式を利用して光配向層を露光させた後に、電極の屈曲部３３０Ｂに対応する領域の液晶分子と走査線ＳＬとのなす角度がφ角（pre-φ）になる場合、それに対応する低い暗縞幅の比の値が生じる。例えば、図８の（１）において、液晶分子が内側に向くように配列してφ角が５°である場合には、暗縞幅の比の値が３．４となる。図８の（２）において、液晶分子が内側に向くように配列してφ角が０．５°である場合には、暗縞幅の比の値が２．６となる。図８の（３）において、液晶分子が外側に向くように配列してφ角が２０°である場合には、暗縞幅の比の値が２．１３である。図８の（４）において、液晶分子が外側に向くように配列してφ角が４０°である場合には、暗縞幅の比の値が１．９４である。図８の（５）において、液晶分子が外側に向くように配列してφ角が６０°である場合、暗縞幅の比の値が１．８である。
【００３９】
また、図８では、中間階調値が、例えば１２８（第１階調値）である場合、暗縞が生じている画素領域における暗縞の占める比率を、各群の暗縞パターンに示している。ここで、暗縞の占める比率を、第１暗縞のＹ方向上の幅（Ｗ１）／画素の総長さＬと定義する。図８の（１）において、中間階調値が例えば１２８である場合には、生じた暗縞の占める比率が１５．４％である。図８の（２）において、中間階調値が例えば１２８である場合には、生じた暗縞の占める比率が１１．７％である。図８の（３）において、中間階調値が例えば１２８である場合には、生じた暗縞の占める比率が１１．０％である。図８の（４）において、中間階調値が例えば１２８である場合には、生じた暗縞の占める比率が９．５％である。図８の（４）において、中間階調値が例えば１２８である場合には、生じた暗縞の占める比率が８．８％である。暗縞の占める比率が高くなるにつれ、その画素の開口率が低くなるため、第１暗縞幅と第２暗縞幅との比の値の上限値を選択するときに、実際の開口率に応じて決めることができる。例えば、暗縞幅の比の値が３．０より大きく、中間階調値（例えば１２８）のときに生じた暗縞の占める比率が高い場合（例えば、比の値が３．４より大きく、暗縞の占める比率が１５％を超える）、暗縞が広すぎて画素の開口率が低いことを意味する。したがって、一実施例において、適切な暗縞幅の比の値（中間階調値（例えば、１２８）の暗縞幅を最高階調値（例えば、２５５）の暗縞幅で割る）、例えば、約２．１〜約３．０を選択することにより、本発明の表示パネルは、製造ばらつきによる影響を受けにくく、安定した視野角維持率を有することができるほか、良好な開口率という応用製品の要求を満たすことができる。
【００４０】
＜画素電極による形状変化によって暗縞幅の比の値を制御する＞
実施例におけるもう１つの技術手段は、画素電極による形状変化によって最高階調値及び中間階調値に対応する暗縞幅を制御することにより、適切な暗縞幅の比の値（中間階調値（例えば、１２８）の暗縞幅を最高階調値（例えば、２５５）の暗縞幅で割る）、上述した２．１（例えば、約２．１〜約３．０）を達することができる。他の実施例において、共通電極の画素領域に対応するスリットパターンの形状変化、例えば、画素電極パターンの延伸部及び屈曲部のパターンによって、最高階調値及び中間階調値に対応する暗縞幅の比を制御する。
【００４１】
図９は、比較的に高い及び比較的に低いなどの異なる暗縞幅の比の値に対応する画素電極形状及び液晶分子の配列を示す図である。ここで、横方向の（Ａ）シリーズでは、比較的に高い暗縞幅の比の値（例えば、２．８６又は他の高い比の値）を生成可能な液晶分子の配列を示している。即ち、電圧が印加されない場合（Ｉ）、低電圧が印加される場合（ＩＩ）、及び高電圧が印加される場合（ＩＩＩ）の３つの液晶分子の配列をそれぞれ示している。（Ｂ）シリーズでは、比較的に低い暗縞幅の比の値（例えば、２．２６又は他の低い比の値）を生成可能な液晶分子の配列を示している。即ち、電圧が印加されない場合（Ｉ）、低電圧が印加される場合（ＩＩ）、及び高電圧が印加される場合（ＩＩＩ）の３つの液晶分子の配列をそれぞれ示している。同様に、矢印は、その領域にある液晶分子の配列方向を示している。図９において、比較的に高い暗縞幅の比の値を生成可能な（Ａ）シリーズでは、電極の２つの延伸部３３０Ｅは、上記実施例と同じようにデータ線ＤＬの延伸方向に対して平行であるが、電極の屈曲部３３０Ｂの２つの側辺は、ともに走査線ＳＬの延伸方向に対して略垂直となるように形状が変わった（例えば、Ｙ方向に対して平行である）。図９に示す（Ａ）シリーズにおける（Ｉ）、（ＩＩ）、（ＩＩＩ）及び図１０の（１）を参照する。電極の屈曲部３３０Ｂの形状を変化させことにより、比較的に高い暗縞幅の比の値（例えば、２．８６又は他の高い比の値）を形成することができる。電圧が印加されない場合、図９における（Ａ）−（Ｉ）に示すように、液晶分子が配向膜による配向力に応じて配列するようにしている。そのため、電極の屈曲部３３０Ｂ及び延伸部３３０Ｅに対応する領域の液晶分子は、ともに走査線ＳＬに対して平行である配列方式が維持される。電圧が大きくなると、例えば、印加される電圧が中間階調値（例えば、１２８）に達するまで（図９における（Ａ）−（ＩＩ））、電極の屈曲部３３０Ｂに対応する領域の液晶分子は、徐々に外に向けて回転する。印加された電圧が最高階調値（例えば、２５５）に達すると（図９における（Ａ）−（ＩＩＩ））、電極の屈曲部３３０Ｂの領域及び延伸部３３０Ｅに対応する領域の液晶分子は、電界の等電位線方向に沿って配列するようになる。このように、特殊な画素電極の形状によって中間階調値及び最高階調値に対応する暗縞幅（Ｗ１，Ｗ２）を達することにより、両者の暗縞幅の比の値（Ｗ１／Ｗ２）を制御することができる。
【００４２】
また、図９において、比較的に低い暗縞幅の比の値を生成可能な（Ｂ）シリーズでは、電極の２つの延伸部３３０Ｅは、上記実施例と同じようにデータ線ＤＬの延伸方向に対して平行であるが、電極の屈曲部３３０Ｂの側辺は、延伸部３３０Ｅの一側に向けて突出している。即ち、屈曲部３３０Ｂによって形成されるＶ字形の挟角αＢが２つの延伸部３３０Ｅによって形成されるＶ字形の挟角αＥよりも小さい。図９に示（Ｂ）シリーズにおける（Ｉ）、（ＩＩ）、（ＩＩＩ）及び図１０の（２）を参照する。電極の屈曲部３３０Ｂの形状を図９の（Ｂ）シリーズに示すように変化させことにより、比較的に低い暗縞幅の比の値（例えば、２．２６又は他の低い比の値）を形成することができる。電圧が印加されない場合、図９における（Ｂ）−（Ｉ）に示すように、液晶分子が配向膜による配向力に応じて配列するようにしている。そのため、電極の屈曲部３３０Ｂ及び延伸部３３０Ｅに対応する領域の液晶分子は、ともに走査線ＳＬに対して平行である配列方式が維持される。電圧が大きくなると、例えば、印加される電圧が中間階調値（例えば、１２８）に達するまで（図９における（Ｂ）−（ＩＩ））、電極の屈曲部３３０Ｂに対応する領域の液晶分子は、徐々に外に向けて回転する。印加された電圧が最高階調値（例えば、２５５）に達すると（図９における（Ｂ）−（ＩＩＩ））、電極の延伸部３３０Ｅに対応する領域の液晶分子は、電界の等電位線方向に沿って配列するようになる。なお、屈曲部３３０Ｂに対応する領域の液晶分子の外に向けて回転する角度が大きくなるが、延伸部３３０Ｅに対応する領域の液晶分子の外に向けて回転する角度ほど大きくない（そのため、図１０の（２）に示す最高階調値に対応する暗縞幅Ｗ２は、同図の（１）に示す最高階調値に対応する暗縞幅Ｗ２よりも大きくなる）。このように、特殊な画素電極の形状によって中間階調値及び最高階調値に対応する暗縞幅（Ｗ１，Ｗ２）を達することにより、両者の暗縞幅の比の値（Ｗ１／Ｗ２）を制御することができる。これにより、本発明の表示パネルは、適切な暗縞幅の比の値を達することができるため、製造ばらつきによる影響を受けにくく、安定した視野角維持率を有することができる。
【００４３】
上述したように、図９に示す画素電極の形状によって形成された液晶分子の配列方式を用いて、例えば、図１０に示す異なる暗縞パターンを形成することができる。図９及び図１０を併せて参照する。図１０は、単一画素領域における２群の異なる暗縞幅の比の値を有する暗縞パターンを示す図である。また、各群において、中間階調値（例えば、１２８）の場合に生じた第１暗縞の第１暗縞幅Ｗ１及び最高階調値（例えば、２５５）の場合に生じた第２暗縞の第２暗縞幅Ｗ２が表記されている。ここで、第１暗縞の延伸方向は、ＸＹ座標軸上に示す方向ＤＤＦ１（Ｘ方向と平行である）のように、走査線ＳＬに対して平行である。図１０において、（１）では、暗縞の比の値２．８６を示しており、（２）では、暗縞の比の値２．２６を示している。
【００４４】
＜液晶パラメータによって暗縞幅の比の値を制御する＞
巨視的な観点からは、液晶分子を弾性体とみなすことができる。液晶は、異なる方向に付勢されると、スプレイ（ｓｐｌａｙ）、ツイスト（ｔｗｉｓｔ）やベンド（ｂｅｎｄ）などの３つの変形が生じ得る。また、スプレイ（ｓｐｌａｙ）、ツイスト（ｔｗｉｓｔ）及びベンド（ｂｅｎｄ）の弾性定数がそれぞれＫ１１、Ｋ２２及びＫ３３で表される。そのため、液晶分子は、作用力、電界や磁界など外部からの影響によって変形しやすいわけである。図１１Ａ、図１１Ｂ及び図１１Ｃは、液晶のスプレイ（ｓｐｌａｙ）、ツイスト（ｔｗｉｓｔ）及びベンド（ｂｅｎｄ）の変形を示す概略図である。実施例における他の技術手段は、異なる弾性定数を有する液晶によって、最高階調値及び中間階調値に対応する暗縞幅の比を制御することにより、適切な暗縞幅の比の値、例えば上述した２．１（約２．１〜約３．０）を達することができる。これにより、本発明の液晶パネルは、製造ばらつきによる影響を受けにくく、安定した視野角維持率を有することができる。
【００４５】
図１２は、単一画素領域における２群の異なる暗縞幅の比の値を有する暗縞パターンを示す図である。また、各群において、中間階調値が、例えば１２８（第１階調値）である場合に生じた第１暗縞の第１暗縞幅Ｗ１、及び最高階調値が例えば２５５（第２階調値）である場合に生じた第２暗縞の第２暗縞幅Ｗ２が表記されている。ここで、第１暗縞の延伸方向は、ＸＹ座標軸上に示す方向ＤＤＦ１（Ｘ方向と平行である）のように、走査線ＳＬの実質的な延伸方向に対して平行である。図１２において、（１）では、比較的に低いスプレイ（ｓｐｌａｙ）の弾性定数を有する液晶によって、比較的に大きい暗縞の比の値２．９３が生成され、（２）では、比較的に高いスプレイ（ｓｐｌａｙ）の弾性定数を有する液晶によって、比較的に小さい暗縞の比の値２．４２が生成されることができる。
【００４６】
一実施例において、液晶層における液晶のスプレイ（ｓｐｌａｙ）弾性定数Ｋ１１が１０〜２０の範囲である。一実施例において、液晶層における液晶のベンド（ｂｅｎｄ）弾性定数Ｋ３３が１０〜２５の範囲である。これにより、本発明の表示パネルは、例えば約２．１〜約３．０である適切な暗縞幅の比の値を達することができ、製造ばらつきによる影響を受けにくく、安定した視野角維持率を有することができる。
【００４７】
上述したように、実施例において、光配向層の露光方式によって電極の屈曲部３３０Ｂの領域に対応する液晶分子と走査線ＳＬとのなす角度であるφ角を調整することにより、中間階調値及び最高階調値に対応する暗縞幅（Ｗ１，Ｗ２）を達することができる。或いは、電極による形状変化、又は適切な液晶パラメータ（例えば、弾性定数Ｋ１１又はＫ３３など）を選択することで、両者の暗縞幅の比の値（Ｗ１／Ｗ２）が製造ばらつきによる影響を受けにくく、安定した視野角維持率を得られる範囲にある、例えば約２．１〜約３．０となるように制御することができる。もちろん、本発明は、上述した３つの技術手段に限定されず、中間階調値及び最高階調値に対応する暗縞幅及びその比の値を達成することが可能な他の技術手段を用いてもよい。
【００４８】
また、実施例における暗縞幅は、以下のように決められる。図１２の（１）に示すように、中間階調値が例えば１２８である場合（第１階調値）に生じた暗縞パターンを計測する。暗縞パターンにおいて、第１暗縞に垂直であるとともに第１暗縞の点ａ，ｂに跨る距離ｄに対して階調出力を行う。例えば、キャプチャーソフトで少なくとも当該距離ｄの画像の階調値を出力する。図１３は、図１２の（１）における距離ｄに対応する階調値を示す曲線図である。仮に、距離ｄにおける最高階調値が１００であり、最低階調値が５０である場合、半値全幅（ｆｕｌｌ  ｗｉｄｔｈ  ａｔ  ｈａｌｆ  ｍａｘｉｍｕｍ，ＦＷＨＭ）、即ち階調値７５に対応する谷部の幅を暗縞幅とすると、図１２の（１）に示す第１暗縞の第１暗縞幅Ｗ１を得た。実施例における全ての暗縞幅に適用される。なお、一実施例において、暗縞の計測は、例えば、接眼レンズとして１０Ｘ  Ｏｌｙｍｐｕｓ、対物レンズとして５０Ｘ  Ｏｌｙｍｐｕｓ、光源として製品本体のバックライトモジュール、電荷結合素子（Ｃｈａｒｇｅ  Ｃｏｕｐｌｅｄ  Ｄｅｖｉｃｅ，ＣＣＤ）としてＭｏｔｉｃ  Ｍｏｔｉｃａｍ  ２３００を用いた。
【００４９】
以上、本発明の表示パネルは、実施例によれば、中間階調値に対応する第１暗縞幅（Ｗ１）と最高階調値に対応する第２暗縞幅（Ｗ２）との差を利用して、異なる階調値に対応する暗縞幅の比の値（Ｗ１／Ｗ２）を調整する。本発明の表示パネルは、両者の暗縞幅の比の値（Ｗ１／Ｗ２）が製造ばらつきによる影響を受けにくく、安定した視野角維持率を得られる範囲にある、例えば約２．１〜約３．０となるように制御することにより、製造ばらつきによる影響を受けにくく、安定した視野角維持率を有することができ、さらに、良好な開口率という応用製品の要求を満たすことができる。したがって、発明の表示パネルは、製品の歩留まり率を向上させ、安定かつ優れた表示品質を有することができる。
【００５０】
上述した内容及び図面に示す構造は、本発明の実施例の一部を説明するために用いられ、本発明を限定するものではない。他の異なる構造を有する実施例において、例えば、第１，第２透明導電層上のパターン（スリット又はギャップの数、スリット又はギャップの幅、電極枝の幅など）、データ線ＤＬと走査線ＳＬとの挟角、又はスリット又はギャップの端部が屈曲するかどうかなどは、本発明の応用範囲に属する。また、表示パネルの態様は、トップ画素電極構造、トップ共通電極構造、又は他の態様であってもよい。また、光配向層又はラビング配向によって液晶分子を配向させるかどうかは、本発明の応用範囲に属する。一実施例において、液晶層における液晶分子のプレチルト角が０度〜４度の範囲である（例えば、光配向層を用いる場合、そのプレチルト角が０度であり、ラビング配向層を用いる場合、そのプレチルト角が２度である）。また、液晶分子は、ネガ型液晶又はポジ型液晶であってもよい。実際的応用に応じて、本発明の構造に相応的な調整や変更を加えることができることは当業者にとって明らかである。
【００５１】
以上、本発明の好適な実施例を例示したが、これは本発明を限定するものではなく、本発明の精神及び範囲を逸脱しない限りにおいては、当業者であれば、本発明の精神と範囲を逸脱することなく、いくらかの変更や修正を付加することが可能である。したがって、本発明が請求する保護範囲は、特許請求の範囲を基準とする。
【符号の説明】
【００５２】
Ｓ１：第１基板
Ｓ２：第２基板
１１０：第１基材
ＰＸ：画素領域
１１３：活性層
１２０Ｇ：ゲート
１２１：第１絶縁層
１２２：第２絶縁層
１２４、１２５、１２９：導通孔
１２７：第３絶縁層
１２８：第４絶縁層
ＤＥ：ドレイン電極
１３１：第１透明導電層
１３２：第２透明導電層
１３４、３３１：スリット
１３３：配向層
１３２Ｅ、３３０Ｅ：（電極の）延伸部
１３２Ｂ、３３０Ｂ：（電極の）屈曲部
ＳＬ：走査線
ＤＬ：データ線
ＤＤＬ：（データ線の延伸）方向
θＤＬ：（電極の）延伸部と走査線とのなす角度
ＤＦ１：第１暗縞
ＤＤＦ１：（第１暗縞の延伸）方向
Ｗ１：第１暗縞幅
ＤＦ２：第２暗縞
ＤＤＦ２：第２暗縞の延伸方向
θＤＦ：第２暗縞とＸ方向とのなす角度
Ｗ２：第２暗縞幅
Ｌ：画素の総長さ
ＬＣ：液晶層
【図１Ａ】
0006727891.tif 000002
【図１Ｂ】
0006727891.tif 000003
【図２】
0006727891.tif 000004
【図３Ａ】
0006727891.tif 000005
【図３Ｂ】
0006727891.tif 000006
【図４】
0006727891.tif 000007
【図５】
0006727891.tif 000008
【図６】
0006727891.tif 000009
【図７】
0006727891.tif 000010
【図８】
0006727891.tif 000011
【図９】
0006727891.tif 000012
【図１０】
0006727891.tif 000013
【図１１Ａ】
0006727891.tif 000014
【図１１Ｂ】
0006727891.tif 000015
【図１１Ｃ】
0006727891.tif 000016
【図１２】
0006727891.tif 000017
【図１３】
0006727891.tif 000018